(57)【特許請求の範囲】
【請求項１】
建設物に設置して上部からの荷重を支持する補強板材であって、
該補強板材は、所定長さの床板と、該床板の中央部近傍に設けられる補強部と、前記床板の両端部に設けられる板状のリブと、該リブと前記補強部とを挿通する棒状部材と、該棒状部材の少なくとも一端部に螺着するナットと、前記床板の両側部に設けられる側板とから構成され、
前記ナットを締め付けて前記棒状部材を緊張する構成であり、
前記補強部は、前記床板の下部に設けられる一対の板部と、該板部の下部に有する底板部とからなること
を特徴とする補強板材。
【請求項２】
前記側板の少なくとも一方の端部は、係止部が設けられていること
を特徴とする請求項１に記載の補強板材。
【請求項３】
前記側板は、前記床板よりも所定高さ起立していること
を特徴とする請求項１に記載の補強板材。
【発明の詳細な説明】
【技術分野】
【０００１】
本発明は、建設物の桁材等に架け渡して設置する補強板材に関するものであり、更に詳しくは、上部からの荷重に対して支持力が強堅であり、且つ強度が向上した補強板材に関するものである。
【背景技術】
【０００２】
従来、この種の補強板材としては、図１２に示す構成のショベル機サポート装置が知られている。このサポート装置１は、断面Ｈ型の鉄鋼材で形成された所定長さの本体部２と、この本体部２の両端部２ａ、２ａに溶接手段で固着した一対の支持板３、３と、両方の支持板３、３の間に挿通した２本の棒状部材４、４とから構成される。本体部２の両側部は側板６、６が設けられており、また、本体部２の上部には凸状の滑り止め７が複数設けられている。
【０００３】
そして、棒状部材４の一端部をナット５で締め付けて緊張し、サポート装置１に張力を生じさせることにより、上部からの荷重に対して支持力を強化したのである（特許文献１参照）。
【０００４】
このような構成のサポート装置１は、鉄筋コンクリート建物等の解体時に、梁材の間に架け渡して一対設置する。そして、両方のサポート装置１の上部に、作業機の左右のキャタピラをそれぞれ載せることで、サポート装置１が作業機の振動や重圧を支える役目を果たすのである。
【特許文献１】特開２００２−３７１７１３号公報
【発明の開示】
【発明が解決しようとする課題】
【０００５】
この従来例のサポート装置１においては、横長の長尺形状であると共に、棒状部材４を緊張しているので、上部からの荷重が加わると、捩れた状態の歪みが生じるという欠点を有している。この場合は、荷重に対しての支持力が発揮できないので、実質的にはサポート装置１の使用は不可能である。
【０００６】
また、サポート装置１に荷重が加わって下方に湾曲したときに、本体部２と棒状部材４とが接触することになる。この場合も上記の場合と同様に、上部からの荷重に対して充分な支持力が発揮できないので、実質的にはサポート装置１の使用は不可能である。
【０００７】
更に、本体部２の両側部には側板６、６が設けられているので、本体部２の上に載ったキャタピラがサポート装置１から脱落しないという利点はある。しかしながら、移動領域が限られてしまうので、床面を自在に移動する作業には対応できない。従って、返って側板６、６が邪魔であるという欠点も有する。
【０００８】
従って、従来例におけるサポート装置１においては、捩れて歪みが生じないようにすることと、本体部２と棒状部材４とが接触しないようにすることと、側板６が邪魔にならないようにすることとに解決しなければならない課題を有している。
【課題を解決するための手段】
【０００９】
前記従来例の課題を解決する具体的手段として本発明は、建設物に設置して上部からの荷重を支持する補強板材であって、該補強板材は、所定長さの床板と、該床板の中央部近傍に設けられる補強部と、前記床板の両端部に設けられる板状のリブと、該リブと前記補強部とを挿通する棒状部材と、該棒状部材の少なくとも一端部に螺着するナットと、前記床板の両側部に設けられる側板とから構成され、前記ナットを締め付けて前記棒状部材を緊張する構成であり、前記補強部は、前記床板の下部に設けられる一対の板部と、該板部の下部に有する底板部とからなることを特徴とする補強板材を提供するものである。
【００１２】
そして、前記側板の少なくとも一方の端部は、係止部が設けられている構成を含むものであり、さらに、前記側板は、前記床板よりも所定高さ起立している構成を含むものである。
【発明の効果】
【００１３】
本発明に係る補強板材は、建設物に設置して上部からの荷重を支持する補強板材であって、該補強板材は、所定長さの床板と、該床板の中央部近傍に設けられる補強部と、前記床板の両端部に設けられる板状のリブと、該リブと前記補強部とを挿通する棒状部材と、該棒状部材の少なくとも一端部に螺着するナットと、前記床板の両側部に設けられる側板とから構成され、前記ナットを締め付けて前記棒状部材を緊張する構成であり、前記補強部は、前記床板の下部に設けられる一対の板部と、該板部の下部に有する底板部とからなることによって、補強板材に張力が生じることとなり、上部からの荷重に対して支持力が強化される。
この場合、床板の中央部近傍に補強部を有することにより、上部から荷重が加わったときに下方に湾曲し難くなり、床板の形状が安定する。更には、従来例のものと異なり、床板と棒状部材とが接触しないので、荷重に対して充分な支持力が発揮できる。
そして、従来例のものと比較して荷重に対する支持力が向上するので、結果的に軽量化が可能である。
特に、補強部は、前記床板の下部に設けられる一対の板部と、該板部の下部に有する底板部とからなることによって、この補強部の存在により、上部から荷重が加わっても、従来例のような歪みが生じることなく、荷重に対して充分な支持力が発揮できる。
更には、棒状部材は板部とリブとの間を挿通するので、この補強部の存在によって、棒状部材が従来例のものよりも短くなり、結果的に補強板材の長尺化が可能である。また、製造コストも低減できるという種々の優れた効果を奏する。
【００１６】
そして、側板の少なくとも一方の端部は、係止部が設けられていることによって、例えば、ビルの解体時に、係止部を階上の梁に係止させて、他方の端部を階下に接地させれば、補強板材の上を渡って作業機が階下に降りることができるという優れた効果を奏する。
【００１７】
更に、側板は、前記床板よりも所定高さ起立していることによって、上記のように、補強板材の上を渡って作業機が降りるときに、作業機のキャタピラが補強板材から脱落しないという優れた効果を奏する。
【発明を実施するための最良の形態】
【００１８】
次に、本発明の実施の形態について図面を参照しながら説明する。まず、図１から図３に示した第１実施例において、符号１１は補強板材を示し、この補強板材１１は、所定長さの床板１２と、この床板１２の中央部近傍に設けられる補強部１３と、床板１２の両端部に設けられるリブ１４と、このリブ１４と補強部１３とを挿通する棒状部材１５と、この棒状部材１５の両端部に螺着するナット１６と、床板１２の両側部に設けられる側板１７とから構成される。また、補強板材１１は全体的に鉄鋼材で形成される。
【００１９】
床板１２は、所定の厚さを有すると共に、横長の長尺形状に形成されている。
【００２０】
補強部１３は、具体的には、床板１２の下部に設けられる一対の板部１８、１８と、この板部１８の下部に有する底板部１９とからなる。一対の板部１８、１８は、床板１２の中央部１２ａを中心にして対向状態に設けられている。そして、板部１８の上部が床板１２の下部に溶接手段で一体に設けられており、板部１８の下部に床板１９が一体に設けられている。
【００２１】
リブ１４は、矩形状で板状に形成されており、リブ１４の上部が床板１２の下部に溶接手段で一体に設けられている。
【００２２】
棒状部材１５は、具体的にはＰＣ鋼棒であり、所定長さに形成されると共に、板部１８とリブ１４との間を挿通した状態で設けられている。また、棒状部材１５の両方の端部にはナット１６、１６が螺着されている。なお、棒状部材１５は、各図において１本設けられているが、必ずしもこれに限定されることはなく、複数本設けてもよいことは勿論である。
【００２３】
側板１７は、長尺上の板状に形成されており、両端のリブ１４、１４の間に渡って設けられていると共に、補強部１３の側部に固着している。
【００２４】
以上のように構成された補強板材１１は、ナット１６を締め付けて棒状部材１５を緊張することで、補強板材１１に張力が生じ、上部からの荷重に対して支持力が強化されるのである。また、床板１２の中央部に補強部１３を有するので、上部から荷重が加わったときに下方に湾曲し難く、床板の形状が安定すると共に、荷重に対して充分な支持力が発揮できる。そして、結果的に補強板材１１の軽量化が可能になる。
【００２５】
次に、図４及び図５に第２実施例を示す。この補強板材２１は、所定長さの床板２２と、この床板２２に複数設けられるリブ２３と、このリブ２３を挿通する棒状部材２４と、この棒状部材２４の両端部に螺着するナット２５と、床板２２の両側部に設けられる側板２６とから構成される。また、補強板材２１は全体的に鉄鋼材で形成される。
【００２６】
床板２２は、所定の厚さを有すると共に、横長の長尺形状に形成されている。
【００２７】
リブ２３は、矩形状で板状に形成されており、リブ２３の上部が床板２２の下部に溶接手段で一体に設けられていると共に、床板２２に対して所定の間隔を開けて複数箇所に設けられている。
【００２８】
棒状部材２４は、具体的にはＰＣ鋼棒であり、所定長さに形成されると共に、複数のリブ２３を挿通した状態で設けられている。また、棒状部材２４の両方の端部にはナット２５、２５が螺着されている。なお、棒状部材２４は、各図において１本設けられているが、必ずしもこれに限定されることはなく、複数本設けてもよいことは勿論である。
【００２９】
側板２６は、長尺上の板状に形成されており、複数のリブ２３の間に渡って固着されている。
【００３０】
以上のように構成された補強板材２１は、ナット２５を締め付けて棒状部材２４を緊張することで、補強板材２１に張力が生じ、上部からの荷重に対して支持力が強化されるのである。また、リブ２３が複数存在するので、上部から荷重が加わっても、従来例のような歪みが生じない。つまり、荷重に対して充分な支持力が発揮できる。更に、棒状部材２４はリブ２３を挿通しているので、従来例と異なり、床板２２と棒状部材２４とが接触しない。つまり、荷重に対して充分な支持力が常に発揮できる。
【００３１】
次に、図６に第３実施例を示す。この第３実施例において、前記第２実施例と同一部分には同一符号を付してその詳細は省略する。
【００３２】
この補強板材２７は、側板２８の一方の端部２８ａに係止部２９が設けられている。また、側板２８は、所定高さ起立して上部２８ｃが床板２２よりも上に突出している。そして、床板２２の上部には凸状の滑り止め２８ｄが複数設けられている。
【００３３】
係止部２９は、図７に示すように、ビル４０の解体時に、階上４１の梁４２に係止させる部位であり、他方の端部２８ｂを階下４３に接地させれば、補強板材２７の上を渡って作業機４４が階下４３に降りることができる。
【００３４】
また、作業機４４が補強板材２７の上を渡って階下４３に降りるときに、上部２８ｃが作業機４４のキャタピラ４５をガードするので、補強板材２７から脱落しない。
【００３５】
次に、以上のような構成の補強板１１（２１）が、上部からの荷重に対して支持力が強化される理由について説明する。まず、図８に示すように、板体３０の上部から荷重Ａが加わると、板体３０の下部３１では、矢印Ｂ方向に示すような引き裂かれる力が発生する。
【００３６】
これに対して、図９に示すように、板体３２の下部に棒状部材３３を設け、その端部のナット３４を締めると棒状部材３３が緊張し、矢印Ｃに示すような圧縮反力が発生することとなる。従って、上部からの荷重Ａに対して支持力が強化されるのである。
【００３７】
次に、以上に説明した補強板材１１（２１）の使用方法の一例について説明する。まず、図１０に示すように、鉄筋コンクリート建物３５の解体時に、桁材３６（又は梁材）の間に補強板材１１（２１）を架け渡して隣接した状態に設置して、所謂作業機のサポート装置として使用することができる。
【００３８】
この場合は、作業機が補強板材１１（２１）の上を自在に移動できると共に、補強板材１１（２１）が作業機の振動や重圧を支える役目を果たして、荷重を桁材３６に分散することができる。
【００３９】
また、地下鉄工事、共同溝工事、下水溝工事、地下建築物工事等の際に、覆工板として使用することができる。つまり、図１１に示すように、地下構造物３７の上部に所定間隔ごとに桁材３８を設け、その上に補強板材１１（２１）を架け渡して隣接した状態に設置する。さらにその上にアスファルト３９を敷設する。アスファルト３９の上を車両等が通行した場合は、補強板材１１（２１）が車両の重圧を支える役目を果たして、荷重を桁材３８に分散する。
【００４０】
その他にも、補強板材１１（２１）は、建築物の梁材、建築資材、あるいは型枠等、上部からの荷重を強堅に支持する建設資材として、種々な用途に応用して使用することが可能である。
【図面の簡単な説明】
【００４１】
【図１】本発明の第１実施例に係る補強板材１１の、側板１７の一部を破断して示した正面図である。
【図２】本発明の第１実施例に係る補強板材１１の底面図である。
【図３】本発明の第１実施例に係る補強板材１１の側面図である。
【図４】本発明の第２実施例に係る補強板材２１の、側板２６の一部を破断して示した斜視図である。
【図５】本発明の第２実施例に係る補強板材２１の、側板２６の一部を破断して示した正面図である。
【図６】本発明の第３実施例に係る補強板材２７の正面図である。
【図７】補強板材２７の上を渡って作業機４４が階下４３に降りる状態の説明図である。
【図８】板体３０の上部から荷重Ａが加わった状態を示す説明図である。
【図９】棒状部材３３が緊張して圧縮反力が発生する状態を示す説明図である。
【図１０】補強板材１１（２１）を作業機のサポート装置として用いる状態を示す説明図である。
【図１１】補強板材１１（２１）を覆工板として用いる状態を示す説明図である。
【図１２】従来例に係るサポート装置１を分離して示した斜視図である。
【符号の説明】
【００４２】
１    サポート装置
２    本体部
２ａ  端部
３    支持板
４    棒状部材
５    ナット
６    側板
７    滑り止め
１１  補強板材
１２  床板
１２ａ中央部
１３  補強部
１４  リブ
１５  棒状部材
１６  ナット
１７  側板
１８  板部
１９  底板部
２１  補強板材
２２  床板
２３  リブ
２４  棒状部材
２５  ナット
２６  側板
２７  補強板材
２８  側板
２８ａ、２８ｂ端部
２８ｃ上部
２９  係止部
３０  板体
３１  下部
３２  板体
３３  棒状部材
３４  ナット
３５  鉄筋コンクリート建物
３６  桁材
３７  地下構造物
３８  桁材
３９  アスファルト
４０  ビル
４１  階上
４２  梁
４３  階下
４４  作業機
４５  キャタピラ
【図１】
0005215683.tif 000002
【図２】
0005215683.tif 000003
【図３】
0005215683.tif 000004
【図４】
0005215683.tif 000005
【図５】
0005215683.tif 000006
【図６】
0005215683.tif 000007
【図７】
0005215683.tif 000008
【図８】
0005215683.tif 000009
【図９】
0005215683.tif 000010
【図１０】
0005215683.tif 000011
【図１１】
0005215683.tif 000012
【図１２】
0005215683.tif 000013